(57)【要約】【課題】ケース内部に収納されている筒状に巻かれたラップ用シート状物の残余巻き量を、ケースの蓋体を開閉することなく正確に把握することのできるラップ用シート状物の収納ケースを提供すること。【解決手段】筒状に巻かれたラップ用シート状物を収納する収納ケースであり、該ラップ用シート状物の巻き芯の端部が面する該収納ケースの右側面板および／または左側面板に、該ラップ用シート状物の残量を確認するための拡大レンズが設けられてなることを特徴とするラップ用シート状物の収納ケース。【選択図】図１
2006290364.tif 000002
【特許請求の範囲】
【請求項１】
筒状に巻かれたラップ用シート状物を収納する収納ケースであり、該ラップ用シート状物の巻き芯の端部が面する該収納ケースの右側面板および／または左側面板に、該ラップ用シート状物の残量を確認するための拡大レンズが設けられてなることを特徴とするラップ用シート状物の収納ケース。
【請求項２】
拡大レンズがフレネルレンズであることを特徴とする請求項１の記載ラップ用シート状物の収納ケース。
【請求項３】
収納ケースの本体が主として熱可塑性樹脂からなることを特徴とする請求項１または２記載のラップ用シート状物の収納ケース。
【請求項４】
熱可塑性樹脂が、ポリ乳酸系重合体であることを特徴とする請求項１、２または３記載のラップ用シート状物の収納ケース。
【請求項５】
拡大レンズとケース本体とが、同時一体成形されてなるものであることを特徴とする請求項１、２、３または４記載のラップ用シート状物の収納ケース。
【請求項６】
収納ケースの少なくとも一面の表面に磁石が付設されてなることを特徴とする請求項１、２、３、４または５記載のラップ用シート状物の収納ケース。
【発明の詳細な説明】
【技術分野】
【０００１】
本発明は、食品等の包装用等として一般に広く使用されているラップフィルムやクッキングペーパー、アルミホイル等のラップ用シート状物の収納ケースに関し、更に詳しくは、メーカー出荷時から家庭や飲食店などでの使用時まで、ラップ用シート状物の包装収納ケースとして好適に使用できるラップ用シート状物の収納ケースに関する。
【背景技術】
【０００２】
従来から家庭や飲食店等で使用されている上述した如き各種ラップ用シート状物を内部に収納するケースとしては、厚紙を用いて成形された直方体箱型状の紙製容器が知られていて、そのような容器とラップ用シート状物とは一体不可分的な一つの物として位置づけられた商品展開がされている。
【０００３】
すなわち、該紙製の箱状容器は、単なる包装ないしは収納のための容器という他に、使用者が該ラップ用シート状物を使用するに当たり、所望する長さ分だけのラップ用シート状物を筒状の巻き体から引き出してその分をカットすることが容易にできるようにされ、さらに、その所望長さだけを使用した後は、該使用をした後のそのままの状態でも、汚れることや埃が付着することなく、かつ次回の使用時にも即座に対応できるような状態を呈して、ラップ用シート状物を収納しつつ次回使用できるように、構成されている（特許文献１−３）。
【０００４】
このような直方体状のラップ用シート状物の収納ケースは、その基本構造は、一般に、ケース本体の蓋部の先端に連続して、ケース本体の前正面板と重なり合う掩蓋片が設けられている。そして、掩蓋片の先端部には、鋸歯状の切断部材が設けられていて、使用者は使用したい長さ分だけを筒状ラップ用シート巻き体から引き出して、該切断部材の位置で該シート状物をカットして使用する（特許文献４）。
【０００５】
しかしながら、このような従来のラップ用シート状物の収納ケースにあっては、特に、ケース蓋部と前述した掩蓋片を開けるという動作をした場合には、ケース内部のラップ用シート状物の残余量を視覚的に把握できるが、単に収納ケースの外部から視覚で観察する限りでは、内部に残っているラップ用シート状物の未使用残余量を直ちに把握・確認することができないという不都合があった。
【０００６】
かかる不都合点を解決して、収納ケースの蓋体を成す上面の一部に内部を見ることができるようにする窓部を設けることや、収納ケースを透明なものにするという提案がされている（特許文献５−７）。
【０００７】
しかし、これらの方法は、一般的にラップ用シート状物が透明なものであることから、特に、筒状に巻かれたラップ用シート状物の筒側面方向から見ても、その残余量が直ちに正確に把握することができないことが多かった。筒体の側面方向から見ても、ラップ用シート状物が透明なことから芯体が見えるだけであり、残余量の把握は難しいからである。
【０００８】
一方、その透明さを逆に利用するものとして、残量が少なくなると芯体の視認が確実に可能になってくるように巻き芯体に特定の文字・図柄等を印刷しておき、該文字・図柄等が鮮明に観察できるようになるに従って、残余量が小さいと認識できるという方法も提案されている（特許文献８）。
【０００９】
しかしながら、これら特許文献５−８で提案されているものは、透明なものを筒体の側面方向から見る、あるいは完全に不透明なもの（アルミホイル等）を筒体の側面方向から見るというものであり、残余巻き量の正確な把握が難しいという問題があった。
【特許文献１】特開２０００−１４２６８３号公報
【特許文献２】特開２００３−２９１９５９号公報
【特許文献３】特開平６−２４７４４２号公報
【特許文献４】特開２０００−８５７６２号公報
【特許文献５】特開２０００−１４２６８３号公報（請求項１）
【特許文献６】国際公開第ＷＯ００／６９７３１号パンフレット（請求項５、６）
【特許文献７】特開２００４−２４４１０１号公報（請求項４）
【特許文献８】特開平１０−２４５１５７号公報
【発明の開示】
【発明が解決しようとする課題】
【００１０】
本発明は、上述したような従来技術の不都合点に鑑み、特に、ケース内部に収納されている筒状に巻かれたラップ用シート状物の残余巻き量を、ケースの蓋体を開閉することなく正確に把握することのできるラップ用シート状物の収納ケースを提供することを目的とする。
【課題を解決するための手段】
【００１１】
上述した目的を達成する本発明のラップ用シート状物の収納ケースは、以下の(1) の構成からなる。
（１）筒状に巻かれたラップ用シート状物を収納する収納ケースであり、該ラップ用シート状物の巻き芯の端部が面する該収納ケースの右側面板および／または左側面板に、該ラップ用シート状物の残量を確認するための拡大レンズが設けられてなることを特徴とするラップ用シート状物の収納ケース。
【００１２】
また、かかる本発明のラップ用シート状物の収納ケースにおいて、その具体的態様として好ましくは、以下の(2) 〜(6) の構成からなるものである。
（２）拡大レンズがフレネルレンズであることを特徴とする上記(1) 記載のラップ用シート状物の収納ケース。
（３）収納ケースの本体が主として熱可塑性樹脂からなることを特徴とする上記(1) または(2) 記載のラップ用シート状物の収納ケース。
（４）熱可塑性樹脂が、ポリ乳酸系重合体であることを特徴とする上記(1) 、(2) または(3) 記載のラップ用シート状物の収納ケース。
（５）拡大レンズとケース本体とが、同時一体成形されてなるものであることを特徴とする上記(1) 、(2) 、(3) または(4) 記載のラップ用シート状物の収納ケース。
（６）収納ケースの少なくとも一面の表面に磁石が付設されてなることを特徴とする上記(1) 、(2) 、(3) 、(4) または(5) 記載のラップ用シート状物の収納ケース。
【発明の効果】
【００１３】
請求項１にかかる本発明によれば、ケース内部に収納されている筒状に巻かれたラップ用シート状物の残余巻き量を、ケースの蓋体を開閉することなく正確に把握することのできるラップ用シート状物の収納ケースを提供することが実現できるものである。
【発明を実施するための最良の形態】
【００１４】
以下、更に詳しく本発明のラップ用シート状物の収納ケースについて、図面等を参照しながら更に詳しく説明する。
【００１５】
図１は、本発明にかかるラップ用シート状物の収納ケースの一実施態様例をモデル的に示した概略モデル斜視図である。
【００１６】
本発明にかかるラップ用シート状物２の収納ケース１は、内部に筒状に巻かれたラップ用シート状物２を収納する収納ケースであり、該ラップ用シート状物２の巻き芯３の端部が面する該収納ケースの右側面板（図示せず）および／または左側面板４に、該ラップ用シート状物の残量を確認するための拡大レンズ５が設けられてなるものである。なお、図１において、上蓋、掩蓋片、切断部材は図示していない。
【００１７】
このような構造とすることにより、ラップ用シート状物を棚板、、調理台、テーブル、などに横置きしてあるときでも、ケース側面の拡大レンズ５を介してケース内部のラップ用シート状物の残余巻き量（残り巻き厚さ）を、直接視覚で認識できるので、確実にラップ用シート状物の残余量・未使用量を把握することができる。
【００１８】
該拡大レンズ５は、図１に示したように、巻き芯３とラップ用シート状物２の残余巻き部分の双方をまたいで視覚で認識できる位置に設けるのが好ましい。
【００１９】
また、右側面板と左側面板のいずれにも設けると、いずれの側面を使用者に向けているときでも残余量を確認できるので好ましい。
【００２０】
拡大レンズは、レンズの厚さが極力厚くなることがないように、平面性という点で利点があるフレネルレンズで構成するのが好ましい。
【００２１】
ケース本体は、その構成材の材質は、特に限定されないが、その側面板に拡大レンズを形成させるものである以上、厚紙で構成するよりも、主として熱可塑性樹脂で構成するのが強度面などで好ましい。
【００２２】
熱可塑性樹脂でケース本体を主に構成すると、使用中において水に濡れたりしたときでも、水分でケースがふやけたりして取り扱いにくくなる等の不都合や、重量のある物の下になったときなどでも破損したりつぶれたりすること等がなく、取り扱い性が非常に良好である。
【００２３】
また、このように、ケース本体を熱可塑性樹脂で構成する場合には、上述のフレネルレンズもまた熱可塑性樹脂で構成することが本来一般的であるので、該ケース本体とフレネルレンズを、同時一体成形して構成できるという利点がある。
【００２４】
ケース本体を主として熱可塑性樹脂で構成する場合は、特に限定されるものではないが、ポリエステル系樹脂、ポリアミド系樹脂、ＡＢＳ樹脂、アクリル系樹脂、ポリオレフィン系樹脂、ポリカーボネート系樹脂など各種のものを使用することができる。特に、熱可塑性樹脂として、ポリ乳酸系ポリマーを使用した場合は、該樹脂は生分解性であり、廃棄時の環境問題がないので好ましい。
【００２５】
本発明において、該ポリ乳酸系ポリマーとは、乳酸単位を含む脂肪族ポリエステルからなるものをいい、具体的には、例えば、
（１）ポリ乳酸、および、乳酸とその他のヒドロキシカルボン酸（例えばグリコール酸、３−ヒドロキシ酪酸、４−ヒドロキシ酪酸、３−ヒドロキシ吉草酸、４−ヒドロキシ吉草酸、６−ヒドロキシカプロン酸等）との共重合物、
（２）乳酸単位とさらに脂肪族多価カルボン酸単位および脂肪族多価アルコール単位を含む脂肪族ポリエステル、
（３）乳酸単位とさらに多官能多糖類を含む脂肪族ポリエステル、
（４）上記脂肪族ポリエステルとの混合物、
等を総称して言うものである。また、乳酸には、Ｌ−体とＤ−体とが存在するが、本発明においては、Ｌ−体とＤ−体との両者を含むものである。
【００２６】
すなわち、本発明において、ポリ乳酸系ポリマーとしては、構成単位がＬ−乳酸のみからなるポリ（Ｌ−乳酸）、Ｄ−乳酸のみからなるポリ（Ｄ−乳酸）、あるいはＬ−乳酸単位とＤ−乳酸単位とが種々の割合で存在するポリ（ＤＬ−乳酸）のいずれも使用できる。
【００２７】
また、生分解性を有する樹脂で収納ケースの本体を構成するのであれば、その場合には、より好ましくは、ラップ用シート自体や該ラップシートを筒状に巻き上げるための巻き芯体等もポリ乳酸系ポリマーで構成させるのがよいものである。そのように構成すると、収納ケース内にラップ用シートと巻き芯体が残っている場合でも、そのまま廃棄したとしても土中等で分解されるので廃棄上の問題は実際上ないからである。
【００２８】
本発明にかかるラップ用シート状物の収納ケースには、従来の紙製の箱のものがそうであるように、ラップ用シート状物を切断する切断部材が付設されているのが使用時の利便性を良くすることから好ましく、そして、より好ましくは、該切断部材も安全性を考えて熱可塑性樹脂を鋸歯状に成型等して構成されているものがよく、上述のように収納ケース本体をポリ乳酸系ポリマーで構成する場合には、該切断部材もポリ乳酸系ポリマーで構成するのがよい。収納ケースの本体を熱可塑性樹脂で形成する場合は、該樹脂は、透明または半透明のものであってもよい。
【００２９】
本発明にかかるラップ用シート状物の収納ケースを熱可塑性樹脂で構成する場合には、該熱可塑性樹脂シートと適宜の金型を用いた真空成形法、真空圧空成形法、あるいは射出成形法等により簡単に製造することができる。
【００３０】
また、本発明の収納ケースを成形した後は、さらに少なくとも一面の表面に磁石を付設することも好ましい。該磁石の磁気により、例えば、冷蔵庫や電子レンジ、オーブンなどの家庭電気器具等の外壁や流し台、調理台などに、本発明にかかるラップ用シート状物の収納ケースを該磁気により固定することができるからである。
【００３１】
特に、本発明のラップ用シート状物の収納ケースを熱可塑性樹脂で構成した場合は、筒状に巻かれた一つのラップ用シート状物を使い終わったとき、新しいラップ用シート状物を該ケース内部に装着して再使用することができ、何度も繰り返し使用することがよいものである。
【図面の簡単な説明】
【００３２】
【図１】図１は、本発明にかかるラップ用シート状物の収納ケースの一実施態様例をモデル的に示した概略モデル斜視図である。
【符号の説明】
【００３３】
１：ラップ用シート状物の収納ケース
２：ラップ用シート状物
３：巻き芯
４：左側面板
５：拡大レンズ
【図１】
2006290364.tif 000003